(57)【要約】【課題】子機のセキュリティが向上した無線通信装置、通信システム及び通信方法を提供する。【解決手段】生体情報読取部により、読み取った第二の生体情報を出力し、無線部により、少なくとも１つの送信元装置で所定の生体情報に基づき生成され、この送信元装置の識別情報である送信元識別信号を含む管理信号を受信し、装置制御部により、入力される第二の生体情報に基づいて、送信元識別情報のうち通信先となる装置の識別情報と一致する識別情報を有する装置と所定の無線通信方式により通信を行うために必要な情報を含む設定情報を生成し、この設定情報を設定する。【選択図】      図1
2014183445.tif 000002
【特許請求の範囲】
【請求項１】
読み取った第二の生体情報を出力する生体情報読取部と、
少なくとも１つの送信元装置で所定の生体情報に基づき生成され、該送信元装置の識別情報である送信元識別信号を含む管理信号を受信する無線部と、
入力される前記第二の生体情報に基づいて、前記送信元識別情報のうち通信先となる装置の識別情報と一致する識別情報を有する装置と所定の無線通信方式により通信を行うために必要な情報を含む設定情報を生成し、該設定情報を設定する装置制御部と、
を備えることを特徴とする無線通信装置。
【請求項２】
前記装置制御部は、前記生体情報読取部が読み取った前記第二の生体情報から特徴点を抽出し、この特徴点の位置情報を並べたデータを所定の規則により変形して前記設定情報を生成する、ことを特徴とする請求項１記載の無線通信装置。
【請求項３】
前記所定の無線通信方式は、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１で規定された無線ＬＡＮ規格によって通信する無線ＬＡＮ通信方式であり、前記管理信号は、ＩＥＥＥ８０２．１１で規定された無線ＬＡＮ規格の管理フレームを示すビーコンであり、前記設定情報は、識別情報であるＳＳＩＤ（Ｓｅｒｖｉｃｅ  Ｓｅｔ  ＩＤｅｎｔｉｆｉｅｒ）と暗号化キーを含む、ことを特徴とする請求項１又は２記載の無線通信装置。
【請求項４】
前記生体情報読取部は指紋情報読取部を含み、前記第二の生体情報は指紋情報を含み、前記指紋情報読取部は、指先を読み取った指紋画像を前記指紋情報として出力し、
前記装置制御部は、
前記指紋情報読取部が出力した前記指紋画像から指紋の特徴点を示す特徴点画像を生成する指紋データ生成部と、
前記指紋データ生成部が生成した前記特徴点画像に基づいて前記設定情報を生成する設定情報生成部と、
前記送信元装置を示す第一の無線通信装置が前記指紋情報に基づいて生成する設定情報に含まれる前記第一の無線通信装置の識別情報と、前記設定情報生成部が生成した前記設定情報に含まれる前記第一の無線通信装置の識別情報とが同一の管理信号を検出し、前記設定情報生成部が生成した前記設定情報を設定する制御部と、
を備えることを特徴とする請求項３記載の無線通信装置。
【請求項５】
前記指紋データ生成部は、前記指紋画像から、指先の指紋紋様の端点と分岐点を含む指紋の特徴点を示す前記特徴点画像を生成する、ことを特徴とする請求項４記載の無線通信装置。
【請求項６】
前記設定情報生成部は、前記指紋データ生成部が生成した前記特徴点画像から各特徴点の各位置情報を取得し、これらの位置情報を所定の規則に従って並べて前記設定情報とする、ことを特徴とする請求項５記載の無線通信装置。
【請求項７】
請求項１に記載の前記無線通信装置と、この無線通信装置と無線により通信する第一の無線通信装置と、を備えた通信システムであって、
前記第一の無線通信装置は、
読み取った第一の生体情報を出力する第一の生体情報読取部と、
少なくとも１つの送信元装置で所定の生体情報に基づき生成され、該送信元装置の識別情報である送信元識別信号を含む管理信号を受信する第一の無線部と、
入力される前記第二の生体情報に基づいて、前記送信元識別情報のうち通信先となる装置の識別情報と一致する識別情報を有する装置と所定の無線通信方式により通信を行うために必要な情報を含む設定情報を生成し、該設定情報を設定する第一の装置制御部と、
を備えたことを特徴とする通信システム。
【請求項８】
請求項４から６のいずれかに記載の前記無線通信装置と、
前記第一の無線通信装置と、を備え、
前記第一の生体情報読取部は第一の指紋情報読取部を含み、前記第一の生体情報は指紋情報を含み、前記第一の指紋情報読取部は、指先を読み取った第一の指紋画像を前記指紋情報として出力し、
前記第一の装置制御部は、
前記第一の指紋情報読取部が出力した前記第一の指紋画像から指紋の特徴点を示す第一の特徴点画像を生成する第一の指紋データ生成部と、
前記第一の指紋データ生成部が生成した前記第一の特徴点画像に基づいて前記設定情報を生成する第一の設定情報生成部と、
前記第一の設定情報生成部が生成した前記設定情報に含まれる前記第一の無線通信装置の識別情報を含んだ前記管理信号の無線信号の送信を前記第一の無線部に指示する第一の制御部と、
を備えることを特徴とする請求項７記載の通信システム。
【請求項９】
前記第一の指紋データ生成部は、前記第一の指紋画像から、指先の指紋紋様の端点と分岐点を含む指紋の特徴点を示す第一の特徴点画像を生成する、ことを特徴とする請求項８記載の通信システム。
【請求項１０】
少なくとも１つの送信元装置で所定の生体情報に基づき生成され、該送信元装置の識別情報である送信元識別信号を含む管理信号を受信し、
読み取った第二の生体情報に基づいて、前記送信元識別情報のうち通信先となる装置の識別情報と一致する識別情報を有する装置と所定の無線通信方式により通信を行うために必要な情報を含む設定情報を生成し、
該設定情報を設定する、ことを特徴とする通信方法。
【発明の詳細な説明】
【技術分野】
【０００１】
本発明は、無線通信装置、通信システム及び通信方法に関し、設定情報を設定する通信システム及通信方法に関する。
【背景技術】
【０００２】
無線ＬＡＮ（Ｌｏｃａｌ  Ａｒｅａ  Ｎｅｔｗｏｒｋ）通信を行う無線通信装置等の子機が無線アクセスポイント等の親機へ接続し通信を確立するためには親機との接続を確立するために必要な情報を示す設定情報を子機に設定する必要がある。設定情報は、無線アクセスポイントの識別子（ＳＳＩＤ：Ｓｅｒｖｉｃｅ  Ｓｅｔ  ＩＤｅｎｔｉｆｉｅｒ）、暗号化されたデータを解読するための暗号化キー等を含む。子機はこの設定情報を用いてＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１で規定された無線ＬＡＮ規格によって親機との通信を確立する。
【０００３】
子機に設定情報を設定する技術が特許文献１に開示されている。特許文献１に開示の無線通信システムは、宅内通信機器と携帯電話とを有する。宅内通信機器は、無線ＬＡＮアクセスポイント（親機）を備え、これにより無線ＬＡＮ部を備えた携帯電話（子機）との間で無線ＬＡＮ接続を確立する。宅内通信機器の筐体の表面には、携帯電話と無線ＬＡＮアクセスポイントとの間で無線ＬＡＮ接続を確立するための設定情報を２次元のコードとして記録したＱＲコードが装着されている。携帯電話は、携帯電話用の通信部と、無線ＬＡＮ用の無線ＬＡＮ部と、ＱＲコードリーダとしてのデジタルカメラを備えている。
【０００４】
ここで、宅内通信機器の無線ＬＡＮアクセスポイントに接続を所望する携帯電話のユーザが、この携帯電話のデジタルカメラにより、宅内通信機器の筐体の表面に装着されたＱＲコードを撮影する。携帯電話は、撮影されたＱＲコードを復号化してＱＲコードに埋め込まれた設定情報を再生する。そして、この再生した設定情報を自身の携帯電話に設定し、無線ＬＡＮアクセスポイントとの間で無線ＬＡＮ接続を確立する。
【先行技術文献】
【特許文献】
【０００５】
【特許文献１】特開２００６−１５７８１５号公報
【発明の概要】
【発明が解決しようとする課題】
【０００６】
上述した特許文献１に記載の無線通信システムは、携帯電話のデジタルカメラにより、宅内通信機器の筐体の表面に装着されたＱＲコードを撮影し、この撮影したＱＲコードに埋め込まれた設定情報を再生する。そして、この再生した設定情報を携帯電話に設定して無線ＬＡＮアクセスポイント（親機）との間で無線ＬＡＮ接続を確立する。
【０００７】
このように、特許文献１に記載の無線通信システムは、設定情報が宅内通信機器の筐体の表面に装着されたＱＲコードに埋め込まれている。このため、ＱＲコードを撮影することによりＱＲコードから直接設定情報を読み取ることができるので、誰でもが親機に対して同じ設定情報で接続することができる。そして、同じ設定情報で接続した子機間では、同一の親機を介して通信が可能になる。このため、この設定情報で親機に接続した子機は、同様にこの設定情報で親機に接続した悪意のユーザの子機から、親機を介して通信により接続され、データを盗まれる等が発生するおそれある。
【０００８】
このように、特許文献１に記載の無線通信システムは、同一の設定情報で親機に接続しているので、子機間でのセキュリティが弱いという問題がある。
【０００９】
本発明の目的は、上記課題を解決して、子機のセキュリティが向上した無線通信装置、通信システム及び通信方法を提供することである。
【課題を解決するための手段】
【００１０】
本発明の無線通信装置は、読み取った第二の生体情報を出力する生体情報読取部と、少なくとも１つの送信元装置で所定の生体情報に基づき生成され、該送信元装置の識別情報である送信元識別信号を含む管理信号を受信する無線部と、入力される前記第二の生体情報に基づいて、前記送信元識別情報のうち通信先となる装置の識別情報と一致する識別情報を有する装置と所定の無線通信方式により通信を行うために必要な情報を含む設定情報を生成し、該設定情報を設定する装置制御部と、を備えている。
【００１１】
本発明の通信システムは、本発明の無線通信装置と、この無線通信装置と無線により通信する第一の無線通信装置と、を備えた通信システムであって、前記第一の無線通信装置は、読み取った第一の生体情報を出力する第一の生体情報読取部と、少なくとも１つの送信元装置で所定の生体情報に基づき生成され、該送信元装置の識別情報である送信元識別信号を含む管理信号を受信する第一の無線部と、入力される前記第二の生体情報に基づいて、前記送信元識別情報のうち通信先となる装置の識別情報と一致する識別情報を有する装置と所定の無線通信方式により通信を行うために必要な情報を含む設定情報を生成し、該設定情報を設定する第一の装置制御部と、を備えている。
【００１２】
本発明の通信方法は、少なくとも１つの送信元装置で所定の生体情報に基づき生成され、該送信元装置の識別情報である送信元識別信号を含む管理信号を受信し、読み取った第二の生体情報に基づいて、前記送信元識別情報のうち通信先となる装置の識別情報と一致する識別情報を有する装置と所定の無線通信方式により通信を行うために必要な情報を含む設定情報を生成し、該設定情報を設定する、ようにしている。
【発明の効果】
【００１３】
本発明によれば、子機のセキュリティが向上した無線通信装置、通信システム及び通信方法を提供することである。
【図面の簡単な説明】
【００１４】
【図１】本発明の第１の実施の形態に係る第二の無線通信装置の一例を示す図である。
【図２】本発明の第２の実施の形態に係る通信システムの一例を示す図である。
【図３】本発明の第３の実施の形態に係る通信システムの一例を示す図である。
【図４】本発明の第３の実施の形態に係る通信システムの動作の一例を示すフローチャートである。
【図５】本発明の通信システムに係る指紋情報読取部の一例を示す図である。
【図６】本発明の通信システムに係る指紋情報読取部が読み取った指先の指紋画像の一例を示す図である。
【図７】図６で示す指紋画像から特徴点画像を取得し、この特徴点画像から各特徴点の位置情報を取得する処理の一例を説明するための図である。
【図８】本発明の第４の実施の形態に係る通信システムの一例を示す図である。
【発明を実施するための形態】
【００１５】
次に、本発明の実施の形態について図面を参照して説明する。
（第１の実施の形態）
図１は、本発明の第１の実施の形態に係る第二の無線通信装置の一例を示す図である。
【００１６】
本実施の形態に係る無線通信装置１（第二の無線通信装置）は、生体情報読取部２と、無線部３と、装置制御部４とにより構成される。
【００１７】
第二の無線通信装置１は、例えば子機であって、親機である第一の無線通信装置（不図示）の識別情報を含んだ管理信号を受信してこの第一の無線通信装置と無線により通信する。管理信号は、例えば、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１で規定された無線ＬＡＮ規格の管理フレームを示すビーコンである。第一の無線通信装置（親機）は、例えば、無線ＬＡＮアクセスポイント、モバイルルータ等である。第二の無線通信装置１（子機）は、例えば、スマートフォン、携帯電話、タブレット端末、携帯ゲーム機等である。
【００１８】
生体情報読取部２は生体情報を読み取る。無線部３は、指示に基づき無線信号を送信し、ビーコンを含む無線信号を受信する。
【００１９】
装置制御部４は、生体情報読取部２が読み取った指紋、目の虹彩、網膜等の生体情報に基づいて、第一の無線通信装置（親機）（不図示）の識別情報を含んだ設定情報を、所定の方法に基づいて生成する。すなわち、装置制御部４は、例えば、生体情報読取部２が読み取った生体情報から生体の特徴点を抽出し、この抽出した特徴点の位置情報を求め、この位置情報を並べたデータを所定の規則により変形して設定情報を生成する。所定の無線通信方式は、例えば、ＩＥＥＥ８０２．１１で規定された無線ＬＡＮ規格によって通信する無線ＬＡＮ通信方式である。設定情報は、所定の無線通信方式により通信を行うために必要な情報（例えば、識別情報（ＳＳＩＤ（Ｓｅｒｖｉｃｅ  Ｓｅｔ  ＩＤｅｎｔｉｆｉｅｒ）と暗号化キー）を含んでいる。
【００２０】
そして、無線部３はビーコンを受信する。ビーコンには通常、親機の識別情報が含まれている。複数の親機が周辺にある場合には複数のビーコンを受信する。
【００２１】
そして、装置制御部４は、無線部３が受信したビーコンに含まれる識別情報と、自身が生成した識別情報とが一致するビーコンを検出する。
【００２２】
ビーコンに含まれる識別情報が一致するのは、親機も自身の第二の無線通信装置１（子機）と同様に、同一の人物の生体情報を読み取り、この読み取った生体情報に基づいて、同一の所定の方法により、親機の識別情報を含んだ設定情報を生成していることを表している。同一の人物とは、親機に接続を希望する子機のユーザであり、このユーザが、親機と子機に自分の生体情報を読み取らせている。
【００２３】
そして、装置制御部４は、自身が生成した識別情報と一致するビーコンを検出したとき、このビーコンを送信した第一の無線通信装置（親機）（不図示）との通信が可能であると判断し、この識別情報に対応する自身の装置制御部４が生成した設定情報を設定する。
【００２４】
これにより、第二の無線通信装置１は、この設定情報を使用することにより、第一の無線通信装置（親機）と無線ＬＡＮ通信を行うことができるようになる。
【００２５】
このように、本発明の第１の実施の形態によれば、子機は、生体情報に基づいて生成した識別情報を、同一の生体情報に基づいて生成した識別情報を有する親機からのビーコンにより受けたときに、この識別情報に対応した設定情報に基づいて親機と通信することができるようになる。また、子機は、別の生体情報に基づいて生成した識別情報を、この別の生体情報に基づいて生成した識別情報を有する親機からのビーコンにより受けたときに、この識別情報に対応した設定情報に基づいて親機と通信することができるようになる。一方、ある生体情報に基づいて生成した設定情報を設定した子機は、別の生体情報に基づいて生成した設定情報を設定した子機とは、親機が物理的に同じ親機であっても、親機の識別情報が別であるので、親機の制御に基づき異なるネットワークで親機と通信することになる。
【００２６】
このため、本発明の第１の実施の形態によれば、自分以外の子機は、別の設定情報に基づいて親機と通信することになるので、子機のセキュリティが向上する。
（第２の実施の形態）
図２は、本発明の第２の実施の形態に係る通信システムの一例を示す図である。
【００２７】
本第２の実施の形態は、第１の実施の形態の第二の無線通信装置１（子機）を用い、この第二の無線通信装置１と第一の無線通信装置６（親機）とにより通信システム５を構成したものである。このため、第１の実施の形態で説明した内容は省いて説明する。但し、第１の実施の形態の第二の無線通信装置１（子機）の生体情報読取部２、無線部３、及び装置制御部４を、第二の生体情報読取部１１、第二の無線部１２、及び第二の装置制御部１３とし第二の無線通信装置１を第二の無線通信装置７としている。
【００２８】
本実施の形態に係る通信システム５は、第一の無線通信装置６と、第二の無線通信装置７とにより構成される。
【００２９】
第一の無線通信装置６は、第一の生体情報読取部８と、第一の無線部９と、第一の装置制御部１０とより構成される。第二の無線通信装置７は、第二の生体情報読取部１１と、第二の無線部１２と、第二の装置制御部１３とより構成される。第二の無線通信装置７は、第１の実施の形態で説明したものである。
【００３０】
第一の無線通信装置６（親機）は、生体情報を読み取り、この読み取った生体情報に基づいて自身の装置（親機）の識別情報を含んだ設定情報を生成し、この生成した識別情報を含んだ管理信号（ビーコン）を送信する。
【００３１】
第一の生体情報読取部８は、生体情報を読み取る。第一の無線部９は、指示に基づきビーコンを含む無線信号を送信し、無線信号を受信する。第一の装置制御部１０は、第一の生体情報読取部８が読み取った生体情報に基づいて、自身の装置（親機）の識別情報を含んだ設定情報を生成し、この生成した識別情報を含んだビーコンの送信を第一の無線部９に指示する。
【００３２】
すなわち、第一の装置制御部１０は、第一の生体情報読取部８が読み取った指紋、目の虹彩、網膜等の生体情報に基づいて、自身の装置（親機）の識別情報を含んだ、所定の無線通信方式により通信を行うために必要な情報を含む設定情報を生成する。例えば、第一の装置制御部１０は、第一の生体情報読取部８が読み取った生体情報から生体の特徴点を抽出し、この抽出した特徴点の位置情報を求め、この位置情報を並べたデータを所定の規則により変形して設定情報を生成する。自身の装置（親機）の識別情報は、例えば、ＳＳＩＤである。所定の無線通信方式は、例えば、無線ＬＡＮ通信方式である。第一の無線通信装置６の設定情報は、ＳＳＩＤと暗号化キーを含む。
【００３３】
そして、第一の装置制御部１０は、この生成した識別情報を含んだビーコンを第一の無線部９を介して送信する。
【００３４】
そして、第１の実施の形態で説明したように、第二の装置制御部１３は、受信したビーコンに含まれる識別情報と、自身が生成した設定情報に含まれる第一の無線通信装置６の識別情報とが同一のビーコンを検出する。そして、第二の装置制御部１３は、検出したビーコンに含まれる第一の無線通信装置６の識別情報を含んだ自身の第二の装置制御部１３が生成した設定情報を設定する。これにより、第二の無線通信装置７（子機）は、この設定情報を使用することにより、第一の無線通信装置６（親機）と無線ＬＡＮ通信を行うことができるようになる。
【００３５】
このように、本発明の第２の実施の形態によれば、子機は、生体情報に基づいて識別情報を生成する。そして、この識別情報を、同一の生体情報に基づいて生成した識別情報を有する親機からのビーコンにより受けたときに、この識別情報に対応した設定情報に基づいて親機と通信することができるようになる。また、子機は、別の生体情報に基づいて生成した識別情報を、この別の生体情報に基づいて生成した識別情報を有する親機からのビーコンにより受けたときに、この識別情報に対応した設定情報に基づいて親機と通信することができるようになる。一方、ある生体情報に基づいて生成した設定情報を設定した子機は、別の生体情報に基づいて生成した設定情報を設定した子機とは、親機が物理的に同じ親機であっても、親機の識別情報は別である。このため、親機の制御に基づき異なるネットワークで親機と通信することになる。
【００３６】
このため、本発明の第２の実施の形態によれば、自分以外の子機は、別の設定情報に基づいて親機と通信することになるので、子機のセキュリティが向上する。
（第３の実施の形態）
図３は、本発明の第３の実施の形態に係る通信システムの一例を示す図である。
【００３７】
本第３の実施の形態は、第２の実施の形態をより具体化したものである。すなわち、生体情報を指紋情報に具体化し、第一の生体情報読取部８を第一の指紋情報読取部１８に、第二の生体情報読取部１１を第二の指紋情報読取部２３に変えている。また、第一の装置制御部１０を、第一の指紋データ生成部２０、第一の設定情報生成部２１、及び第一の制御部２２に分けた。また、第二の装置制御部１３を、第二の指紋データ生成部２５、第二の設定情報生成部２６、及び第二の制御部２７に分けた。主に第２の実施の形態と相違する部分について説明する。
【００３８】
本実施の形態に係る通信システム１５は、第一の無線通信装置１６と、第二の無線通信装置１７とにより構成される。
【００３９】
第一の無線通信装置１６は、第一の指紋情報読取部１８と、第一の無線部９と、第一の装置制御部１９とより構成される。第一の装置制御部１９は、第一の指紋データ生成部２０と、第一の設定情報生成部２１と、第一の制御部２２とにより構成される。
【００４０】
第二の無線通信装置１７は、第二の指紋情報読取部２３と、第二の無線部１２と、第二の装置制御部２４とより構成される。第二の装置制御部２４は、第二の指紋データ生成部２５と、第二の設定情報生成部２６と、第二の制御部２７とにより構成される。
【００４１】
第一の指紋情報読取部１８は、例えば、人差し指の第一関節の指先全体を読み取り、第一の指紋画像を指紋情報として出力する。第一の指紋データ生成部２０は、第一の指紋情報読取部１８が出力した第一の指紋画像から指紋の特徴点を示す第一の特徴点画像を指紋情報データとして生成する。第一の設定情報生成部２１は、第一の指紋データ生成部２０が生成した第一の特徴点画像に基づいて設定情報を生成する。第一の制御部２２は、第一の設定情報生成部２１が生成した設定情報に含まれる第一の無線通信装置１６の識別情報を含んだ管理信号（ビーコン）の無線信号の送信を第一の無線部９に指示する。
【００４２】
一方、第二の指紋情報読取部２３、第二の指紋データ生成部２５、第二の設定情報生成部２６は、第一の指紋情報読取部１８、第一の指紋データ生成部２０、第一の設定情報生成部２１とそれぞれ同様である。すなわち、第二の指紋情報読取部２３は、例えば、人差し指の第一関節の指先全体を読み取り、第二の指紋画像を指紋情報として出力する。第二の指紋データ生成部２５は、第二の指紋情報読取部２３が出力した第二の指紋画像から指紋の特徴点を示す第二の特徴点画像を指紋情報データとして生成する。第二の設定情報生成部２６は、第二の指紋データ生成部２５が生成した第二の特徴点画像に基づいて設定情報を生成する。第二の制御部２７は、第二の無線部１２が受信するビーコンに含まれる第一の無線通信装置１６の識別情報と、自身の第二の制御部２７が生成した設定情報に含まれる識別情報とが同一のビーコンを検出する。そして、この検出したビーコンに含まれる第一の無線通信装置１６の識別情報を含んだ自身の第二の制御部２７が生成した設定情報を設定する。
【００４３】
これにより、第二の無線通信装置１７（子機）は、この設定情報を使用することにより、第一の無線通信装置１６（親機）と無線ＬＡＮ通信を行うことができるようになる。
【００４４】
次に、本発明の第３の実施の形態に係る通信システムの動作を図４、図５、図６及び図７を参照して詳細に説明する。
【００４５】
図４は、本発明の第３の実施の形態に係る通信システムの動作の一例を示すフローチャートである。
【００４６】
図５は、第一の指紋情報読取部、第二の指紋情報読取部２３等の指紋情報読取部の一例を示す図であり、例えば、人差し指の第一関節の指先全体を読み取る指紋情報読取部の一例を示している。
【００４７】
図６は、図５で示す指紋情報読取部が読み取った指先の指紋画像の一例を示す図である。図は、指先の中央部分（盛り上がった部分）の指紋紋様を示している。指先の中央部分の周辺は、盛り上がっていないのでボケている。指紋画像は、指先の中央部分の指紋紋様の作る隆線により構成され、例えば、隆線が途切れる端点（○）と隆線が分かれる分岐点（□）が指紋の特徴点である。
【００４８】
図７は、図６で示す指紋画像から、第一の特徴点画像、第二の特徴点画像等の特徴点画像を取得し、この特徴点画像から各特徴点の位置情報を取得する処理の一例を説明するための図である。（ａ）は、指紋画像に、指紋の特徴点を示す黒丸（●）を重ねて特徴点画像としたときの一例を示す図である。（ｂ）は、（ａ）で示す特徴点画像に座標を設定し、この座標に基づいて特徴点画像から各特徴点の各位置情報を取得する処理の一例を説明するための図である。特徴点画像の縦方向に、例えばａからｆの英字、横方向に、例えば０から９の数字を設定して座標とする。この図は、特徴点画像の右下の特徴点を座標０ｆに合わせこれを基準にして、座標０ｆと他の黒丸間を結んだ直線のうちの最も下の直線が水平になるように回転させる様子を示している。
【００４９】
図４のステップＳ１では、例えば、図５で示すように、ユーザが、第一の無線通信装置１６の第一の指紋情報読取部１８に人差し指を設定することにより、第一の指紋情報読取部１８が指紋を読み取り、第一の指紋画像を出力する。第一の無線通信装置１６が、予めこの装置に設定される指紋認証部等で指紋認証を行い、認証後にこの装置を使用できるようにする場合には、この指紋認証部を第一の指紋情報読取部１８に流用しても良い。
【００５０】
図４のステップＳ２では、第一の指紋データ生成部２０が、第一の指紋画像から、一般的な指紋認証技術を用いて指紋の特徴点（隆線の端点、分岐点）を抽出し、図７の（ａ）に示すように第一の特徴点画像を生成する。
【００５１】
図４のステップＳ３では、第一の設定情報生成部２１は、第一の指紋データ生成部２０が生成した第一の特徴点画像を、図７の（ｂ）に示すように移動及び回転し、各特徴点の位置の座標値を例えば、左から右、上から下の順に並べる。すなわち、２の位置にあるのがａとｃ、３の位置にあるのがｃとｅとｆ、８の位置にあるのがａとｅとｆ、９の位置にあるのがｄ、そして、０の位置にあるのがｆであるので、ａ２、ｃ２、ｃ３、ｅ３、ｆ３、ａ８、ｅ８、ｆ８、ｄ９、ｆ０と並べる。そして、例えば、最初の１０個の特徴点の座標値をとり、特徴点座標データ列を生成する（例えば、１０個に満たない場合には、ａ１ａ２ａ３ａ４・・を付加し、１０個の座標値とする）。この場合の特徴点座標データ列はａ２ｃ２ｃ３ｅ３ｆ３ａ８ｅ８ｆ８ｄ９ｆ０である。この特徴点座標データ列の前半（ａ２ｃ２ｃ３ｅ３ｆ３）を第一の無線通信装置１６の識別情報（ＳＳＩＤ）、後半（ａ８ｅ８ｆ８ｄ９ｆ０）を暗号化キーとし、これを設定情報とする。
【００５２】
図４のステップＳ４では、第一の無線通信装置１６の第一の制御部２２は、第一の設定情報生成部２１が生成した設定情報に含まれる第一の無線通信装置１６の識別情報（ＳＳＩＤ）を含んだビーコンの送信を第一の無線部９に指示する。
【００５３】
図４のステップＳ５では、第一の無線通信装置１６の第一の無線部９は、第一の制御部２２からの指示に基づき第一の無線通信装置１６の識別情報を含んだビーコンを送信する。
【００５４】
次に、図４のステップＳ６では、例えば、図５で示すように、ユーザが、第二の無線通信装置１７の第二の指紋情報読取部２３に人差し指を設定することにより、第二の指紋情報読取部２３が指紋を読み取り、第二の指紋画像を出力する。第二の無線通信装置１７が、予めこの装置に設定される指紋認証部等で指紋認証を行い、認証後にこの装置を使用できるようにする場合には、この指紋認証部を第二の指紋情報読取部２３に流用しても良い。
【００５５】
図４のステップＳ７では、第二の指紋データ生成部２５が、第二の指紋画像から、指紋の特徴点（隆線の端点、分岐点）を抽出し、図７の（ａ）に示すように第二の特徴点画像を生成する。
【００５６】
図４のステップＳ８では、第二の設定情報生成部２６は、第二の指紋データ生成部２５が生成した第二の特徴点画像を、図７の（ｂ）に示すように移動及び回転する。そして、各特徴点の位置の座標値を例えば、左から右、上から下の順に並べ、図４のステップＳ３と同様にして、特徴点座標データ列を生成する。このとき、第一の指紋情報読取部１８に人差し指を設定したユーザと、第二の指紋情報読取部２３に人差し指を設定したユーザとが同じユーザである場合には、図７の（ｂ）に示す画像は同じであるので、同じ特徴点座標データ列（ａ２ｃ２ｃ３ｅ３ｆ３ａ８ｅ８ｆ８ｄ９ｆ０）が生成される。そして、この特徴点座標データ列から図４のステップＳ３と同様にして、設定情報を生成する。そして、この特徴点座標データ列の前半（ａ２ｃ２ｃ３ｅ３ｆ３）を識別情報（ＳＳＩＤ）、後半（ａ８ｅ８ｆ８ｄ９ｆ０）を暗号化キーとし、これを、設定情報とする。
【００５７】
図４のステップＳ９では、第二の制御部２７は、第二の設定情報生成部２６が生成した設定情報を格納部（不図示）に格納する。
【００５８】
次に、図４のステップＳ１０では、第二の無線部１２が、ステップＳ５で第一の無線通信装置１６の第一の無線部９が送信したビーコンを受信する。
【００５９】
図４のステップＳ１１では、第二の制御部２７は、第二の無線部１２のビーコンの受信を待ち、第二の無線部１２がビーコンを受信した場合ステップＳ１２へ進む。
【００６０】
図４のステップＳ１２では、第二の制御部２７は、受信したビーコンに含まれる第一の無線通信装置１６の識別情報（ＳＳＩＤ）と、ステップ９で格納した設定情報に含まれる第一の無線通信装置１６の識別情報（ＳＳＩＤ）との一致不一致を判別する。そして、判別の結果が、一致を示す場合にはステップＳ１３へ進む。判別の結果が、不一致を示す場合にはステップＳ１１に戻る。
【００６１】
そして、図４のステップＳ１３では、第二の制御部２７は、第二の設定情報生成部２６が生成したステップ９で格納した設定情報を設定する。
【００６２】
これにより、第二の無線通信装置１７（子機）は、この設定情報を使用することにより、第一の無線通信装置１６（親機）と無線ＬＡＮ通信を行うことができるようになる。
【００６３】
このように、本発明の第３の実施の形態によれば、子機の第二の制御部２７が、受信したビーコンに含まれる、親機が指紋情報に基づいて生成した設定情報に含まれる親機の識別情報を取り出す。そして、この親機の識別情報と、自身の第二の制御部２７が生成した設定情報に含まれる親機の識別情報とが同一のビーコンを検出する。そして、自身の第二の制御部２７が、この検出したビーコンに含まれる親機の識別情報を含んだ自身の第二の制御部２７が生成した設定情報を設定する。これにより、子機は親機と通信を行うことができるようになる。
【００６４】
このように、本発明の第３の実施の形態によれば、子機は、自身が指紋情報に基づいて生成した識別情報を、同一の指紋情報に基づいて生成した識別情報を有する親機からのビーコンにより受けたときに、この識別情報に対応した設定情報に基づいて親機と通信することができるようになる。また、子機は、自身が別の指紋情報に基づいて生成した識別情報を、この別の指紋情報に基づいて生成した識別情報を有する親機からのビーコンにより受けたときに、この識別情報に対応した設定情報に基づいて親機と通信することができるようになる。一方、ある生体情報に基づいて生成した設定情報を設定した子機は、別の生体情報に基づいて生成した設定情報を設定した子機とは、親機が物理的に同じ親機であっても、親機の識別情報が別であるので、親機の制御に基づき異なるネットワークで親機と通信することになる。
【００６５】
このため、本発明の第３の実施の形態によれば、自分以外の子機は、別の設定情報に基づいて親機と通信することになるので、子機のセキュリティが向上する。
（第４の実施の形態）
図８は、本発明の第４の実施の形態に係る通信システムの一例を示す図である。
【００６６】
本第４の実施の形態は、第３の実施の形態の第一の無線通信装置１６にＮＦＣ（Ｎｅａｒ  Ｆｉｅｌｄ  Ｃｏｍｍｕｎｉｃａｔｉｏｎ）タグ３０を、また、第二の無線通信装置１７にＮＦＣタグ読取部３２を付加したものである。ＮＦＣタグ３０は、ＮＦＣを含む近距離無線通信可能な無線ＩＣタグである。主に第３の実施の形態と相違する部分について説明する。
【００６７】
本実施の形態に係る通信システム２８は、第一の無線通信装置２９と、第二の無線通信装置３１とにより構成される。
【００６８】
第一の無線通信装置２９は、第一の指紋情報読取部１８と、第一の無線部９と、第一の装置制御部１９とより構成される。第一の装置制御部１９は、第一の指紋データ生成部２０と、第一の設定情報生成部２１と、第一の制御部２２と、ＮＦＣタグ３０とにより構成される。
【００６９】
第二の無線通信装置３１は、第二の指紋情報読取部２３と、第二の無線部１２と、第二の装置制御部２４とより構成される。第二の装置制御部２４は、第二の指紋データ生成部２５と、第二の設定情報生成部２６と、第二の制御部２７と、ＮＦＣタグ読取部３２とにより構成される。
【００７０】
ＮＦＣタグ３０は、第一の制御部２２により、第一の無線通信装置２９に固有の固有情報、乱数を含む所定のデータを書き込まれる。ＮＦＣタグ読取部３２は、ＮＦＣタグ３０に書き込まれている所定のデータを読み出す。第一の制御部２２は、第一の無線通信装置２９に固有の固有情報、乱数を含む所定のデータをＮＦＣタグ３０に書き込む。第一の無線通信装置２９に固有の固有情報とは、例えば、第一の無線通信装置２９に固有のＭＡＣ（Ｍｅｄｉａ  Ａｃｃｅｓｓ  Ｃｏｎｔｒｏｌ）アドレスを含む。乱数は、例えば、第一の制御部２２が発生させる。ＭＡＣアドレスは二桁の１６進数が６個で構成されているので、第一の制御部２２は、このＭＡＣアドレスの形態に合わせて二桁の１６進数が６個で構成される乱数を発生させる。
【００７１】
第一の設定情報生成部２１は、第一の指紋データ生成部２０が生成した第一の特徴点画像と、第一の制御部２２がＮＦＣタグ３０に書き込んだ所定のデータとに基づいて設定情報を生成する。すなわち、第一の設定情報生成部２１は、二桁の１６進数が６個で構成される所定のデータを、前半分と後半分に分ける。また、第一の特徴点画像から生成する特徴点座標データ列も同様に前半分と後半分に分ける。そして、所定のデータと特徴点座標データ列の前半分同士を足してＳＳＩＤとし、所定のデータと特徴点座標データ列の後半分同士を足して、暗号キーとし、これを設定情報とする。
【００７２】
第二の無線通信装置３１（子機）のＮＦＣタグ読取部３２は、第一の無線通信装置２９（親機）に接近し、ＮＦＣタグ３０が発信した電波を受信して、ＮＦＣタグ３０から所定のデータを読み取る。
【００７３】
第二の設定情報生成部２６は、第二の指紋データ生成部２５が生成した第二の特徴点画像と、ＮＦＣタグ読取部３２が読み取った所定のデータとに基づいて設定情報を生成する。すなわち、第二の設定情報生成部２６は、第一の設定情報生成部２１と同様にして、所定のデータを、前半分と後半分に分ける。また、第二の特徴点画像から生成する特徴点座標データ列も同様に前半分と後半分に分ける。そして、所定のデータと特徴点座標データ列の前半分同士を足してＳＳＩＤとし、所定のデータと特徴点座標データ列の後半分同士を足して、暗号キーとし、これを設定情報とする。
【００７４】
このように、本発明の第４の実施の形態によれば、本発明の第３の実施の形態で獲得された効果に加えて、以下の効果がある。すなわち、本発明の第４の実施の形態によれば、第一の指紋情報読取部１８又は第二の指紋情報読取部２３が読み取った第一の指紋画像（指紋情報）又は第二の指紋画像に基づいて生成された、特徴点座標データ列と、所定データ（ＭＡＣアドレス、乱数）とから設定情報を生成する。このため、設定情報を生成することがより難しくなる。このため、他の無線通信装置に設定情報が流用されるおそれが少なくなる。
【００７５】
尚、以上の説明では、第一の無線通信装置（親機）及び第二の無線通信装置（子機）共に、生成して設定した設置情報は、一つであった。しかし、指紋情報読取部が読み取ったそれぞれ異なる複数の指紋情報に応じた複数の設置情報をそれぞれ生成し、これらの設置情報を複数の指紋情報に対応させてそれぞれ格納しておいても良い。
【００７６】
上記の実施形態の一部または全部は、以下の付記のように記載され得るが、以下には限られない。
（付記１）
読み取った第二の生体情報を出力する生体情報読取部と、
少なくとも１つの送信元装置で所定の生体情報に基づき生成され、該送信元装置の識別情報である送信元識別信号を含む管理信号を受信する無線部と、
入力される前記第二の生体情報に基づいて、前記送信元識別情報のうち通信先となる装置の識別情報と一致する識別情報を有する装置と所定の無線通信方式により通信を行うために必要な情報を含む設定情報を生成し、該設定情報を設定する装置制御部と、
を備えることを特徴とする無線通信装置。
（付記２）
前記装置制御部は、前記生体情報読取部が読み取った前記第二の生体情報から特徴点を抽出し、この特徴点の位置情報を並べたデータを所定の規則により変形して前記設定情報を生成する、ことを特徴とする付記１記載の無線通信装置。
（付記３）
前記第二の生体情報は、指紋、目の虹彩、網膜を含む、ことを特徴とする付記１又は２記載の無線通信装置。
（付記４）
前記所定の無線通信方式は、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１で規定された無線ＬＡＮ規格によって通信する無線ＬＡＮ通信方式であり、前記管理信号は、ＩＥＥＥ８０２．１１で規定された無線ＬＡＮ規格の管理フレームを示すビーコンであり、前記設定情報は、識別情報であるＳＳＩＤ（Ｓｅｒｖｉｃｅ  Ｓｅｔ  ＩＤｅｎｔｉｆｉｅｒ）と暗号化キーを含む、ことを特徴とする付記１、２又は３記載の無線通信装置。
（付記５）
前記生体情報読取部は指紋情報読取部を含み、前記第二の生体情報は指紋情報を含み、前記指紋情報読取部は、指先を読み取った指紋画像を前記指紋情報として出力し、
前記装置制御部は、
前記指紋情報読取部が出力した前記指紋画像から指紋の特徴点を示す特徴点画像を生成する指紋データ生成部と、
前記指紋データ生成部が生成した前記特徴点画像に基づいて前記設定情報を生成する設定情報生成部と、
前記送信元装置を示す第一の無線通信装置が前記指紋情報に基づいて生成する設定情報に含まれる前記第一の無線通信装置の識別情報と、前記設定情報生成部が生成した前記設定情報に含まれる前記第一の無線通信装置の識別情報とが同一の管理信号を検出し、前記設定情報生成部が生成した前記設定情報を設定する制御部と、
を備えることを特徴とする付記４記載の無線通信装置。
（付記６）
前記指紋データ生成部は、前記指紋画像から、指先の指紋紋様の端点と分岐点を含む指紋の特徴点を示す前記特徴点画像を生成する、ことを特徴とする付記５記載の無線通信装置。
（付記７）
前記設定情報生成部は、前記指紋データ生成部が生成した前記特徴点画像から各特徴点の各位置情報を取得し、これらの位置情報を所定の規則に従って並べて前記設定情報とする、ことを特徴とする付記６記載の無線通信装置。
（付記８）
前記設定情報生成部は、取得した各位置情報を所定の規則に従って並べ、この並べた各位置情報を分割してＳＳＩＤと、暗号化キーとしこれを前記設定情報とする、ことを特徴とする付記７載の無線通信装置。
（付記９）
前記第一の無線通信装置の有するＮＦＣ（Ｎｅａｒ  Ｆｉｅｌｄ  Ｃｏｍｍｕｎｉｃａｔｉｏｎ）タグから前記第一の無線通信装置に固有の固有情報、乱数を含む所定のデータを読み取るＮＦＣタグ読取部を、更に備え、
前記第一の無線通信装置は、前記ＮＦＣタグに格納されている前記所定のデータと、前記指紋情報とに基づいて前記設定情報を生成し、
前記設定情報生成部は、前記指紋データ生成部が生成した前記特徴点画像と、前記ＮＦＣタグ読取部が読み取った前記所定のデータとに基づいて前記設定情報を生成する、ことを特徴とする付記５、６、７又は８記載の無線通信装置。
（付記１０）
付記１に記載の前記無線通信装置と、この無線通信装置と無線により通信する第一の無線通信装置と、を備えた通信システムであって、
前記第一の無線通信装置は、
読み取った第一の生体情報を出力する第一の生体情報読取部と、
少なくとも１つの送信元装置で所定の生体情報に基づき生成され、該送信元装置の識別情報である送信元識別信号を含む管理信号を受信する第一の無線部と、
入力される前記第二の生体情報に基づいて、前記送信元識別情報のうち通信先となる装置の識別情報と一致する識別情報を有する装置と所定の無線通信方式により通信を行うために必要な情報を含む設定情報を生成し、該設定情報を設定する第一の装置制御部と、
を備えたことを特徴とする通信システム。
（付記１１）
前記第一の記装置制御部は、前記第一の生体情報読取部が読み取った前記第一の生体情報から特徴点を抽出し、この特徴点の位置情報を並べたデータを所定の規則により変形して前記設定情報を生成する、ことを特徴とする付記１０記載の通信システム。
（付記１２）
前記所定の無線通信方式は、ＩＥＥＥ８０２．１１で規定された無線ＬＡＮ規格によって通信する無線ＬＡＮ通信方式であり、前記管理信号は、ＩＥＥＥ８０２．１１で規定された無線ＬＡＮ規格の管理フレームを示すビーコンであり、前記設定情報は、ＳＳＩＤと暗号化キーを含む、ことを特徴とする付記１０または１１記載の通信システム。
（付記１３）
付記５から８のいずれかに記載の前記無線通信装置と、
前記第一の無線通信装置と、を備え、
前記第一の生体情報読取部は第一の指紋情報読取部を含み、前記第一の生体情報は指紋情報を含み、前記第一の指紋情報読取部は、指先を読み取った第一の指紋画像を前記指紋情報として出力し、
前記第一の装置制御部は、
前記第一の指紋情報読取部が出力した前記第一の指紋画像から指紋の特徴点を示す第一の特徴点画像を生成する第一の指紋データ生成部と、
前記第一の指紋データ生成部が生成した前記第一の特徴点画像に基づいて前記設定情報を生成する第一の設定情報生成部と、
前記第一の設定情報生成部が生成した前記設定情報に含まれる前記第一の無線通信装置の識別情報を含んだ前記管理信号の無線信号の送信を前記第一の無線部に指示する第一の制御部と、
を備えることを特徴とする付記１２記載の通信システム。
（付記１４）
前記第一の指紋データ生成部は、前記第一の指紋画像から、指先の指紋紋様の端点と分岐点を含む指紋の特徴点を示す第一の特徴点画像を生成する、ことを特徴とする付記１３記載の通信システム。
（付記１５）
前記第一の設定情報生成部は、前記第一の指紋データ生成部が生成した前記第一の特徴点画像から各特徴点の各位置情報を取得し、これらの位置情報を所定の規則に従って並べて前記設定情報とする、ことを特徴とする付記１４記載の通信システム。
（付記１６）
前記第一の設定情報生成部は、取得した各位置情報を所定の規則に従って並べ、この並べた各位置情報を分割してＳＳＩＤと、暗号化キーとしこれを前記設定情報とする、ことを特徴とする付記１５記載の通信システム。
（付記１７）
前記第一の無線通信装置はＮＦＣタグを備え、
前記第一の制御部は、前記第一の無線通信装置に固有の固有情報、乱数を含む所定のデータを前記ＮＦＣタグに書き込み、前記所定のデータと前記指紋情報とに基づいて前記設定情報を生成し、
前記無線通信装置は、前記ＮＦＣタグから前記所定のデータを読み取るＮＦＣタグ読取部を、更に備え、
前記第二の設定情報生成部は、前記第二の指紋データ生成部が生成した前記第二の特徴点画像と、前記ＮＦＣタグ読取部が読み取った前記所定のデータとに基づいて前記設定情報を生成する、
ことを特徴とする付記１３から１６のいずれかに記載の通信システム。
（付記１８）
少なくとも１つの送信元装置で所定の生体情報に基づき生成され、該送信元装置の識別情報である送信元識別信号を含む管理信号を受信し、
読み取った第二の生体情報に基づいて、前記送信元識別情報のうち通信先となる装置の識別情報と一致する識別情報を有する装置と所定の無線通信方式により通信を行うために必要な情報を含む設定情報を生成し、
該設定情報を設定する、ことを特徴とする通信方法。
（付記１９）
前記読み取った前記第二の生体情報から特徴点を抽出し、この特徴点の位置情報を並べたデータを所定の規則により変形して前記設定情報を生成する、ことを特徴とする付記１８記載の通信方法。
（付記２０）
前記所定の無線通信方式は、ＩＥＥＥ８０２．１１で規定された無線ＬＡＮ規格によって通信する無線ＬＡＮ通信方式であり、前記管理信号は、ＩＥＥＥ８０２．１１で規定された無線ＬＡＮ規格の管理フレームを示すビーコンであり、前記設定情報は、識別情報を示すＳＳＩＤと暗号化キーを含む、ことを特徴とする付記１８又は１９記載の通信方法。
（付記２１）
前記第二の生体情報は指紋情報を含み、
指先を読み取った指紋画像を前記指紋情報として出力し、
前記指紋画像から指紋の特徴点を示す特徴点画像を生成し、
前記生成した前記特徴点画像に基づいて前記設定情報を生成し、
前記第一の無線通信装置が前記指紋情報に基づいて生成する設定情報に含まれる前記第一の無線通信装置の識別情報と、前記生成した前記設定情報に含まれる前記第一の無線通信装置の識別情報とが同一の管理信号を検出し、
前記生成した前記設定情報を設定する、ことを特徴とする付記２０記載の通信方法。
（付記２２）
前記指紋画像から、指先の指紋紋様の端点と分岐点を含む指紋の特徴点を示す前記特徴点画像を生成する、ことを特徴とする付記２１記載の通信方法。
（付記２３）
前記生成した前記特徴点画像から各特徴点の各位置情報を取得し、これらの位置情報を所定の規則に従って並べて前記設定情報とする、ことを特徴とする付記２２記載の通信方法。
（付記２４）
前記所定の規則に従って並べた各位置情報を分割してＳＳＩＤと、暗号化キーとしこれを前記設定情報とする、ことを特徴とする付記２３載の通信方法。
（付記２５）
付記１８に記載の前記無線通信装置の通信方法に、前記無線通信装置と無線により通信する前記送信元装置を示す第一の無線通信装置の通信方法を含めた通信方法であって、
前記第一の無線通信装置は、前記第一の生体情報を読み取り、この第一の生体情報に基づいて、前記自身の装置の前記識別情報を含んだ前記設定情報を生成し、この生成した前記識別情報を含んだ前記管理信号の無線信号を送信する、ことを特徴とする通信方法。
（付記２６）
前記第一の記装置制御部は、前記第一の生体情報から特徴点を抽出し、この特徴点の位置情報を並べたデータを所定の規則により変形して前記設定情報を生成する、ことを特徴とする付記２５記載の通信方法。
（付記２７）
所定の無線通信方式は、ＩＥＥＥ８０２．１１で規定された無線ＬＡＮ規格によって通信する無線ＬＡＮ通信方式であり、前記管理信号は、ＩＥＥＥ８０２．１１で規定された無線ＬＡＮ規格の管理フレームを示すビーコンであり、前記設定情報は、識別情報を示すＳＳＩＤと暗号化キーを含む、ことを特徴とする付記２５または２６記載の通信方法。
（付記２８）
付記２１から２４のいずれかに記載の前記無線通信装置の通信方法に、この無線通信装置と無線により通信する第一の無線通信装置の通信方法を含めた通信方法であって、
前記第一の生体情報は指紋情報を含み、
前記第一の無線通信装置は、指先を読み取った第一の指紋画像を前記指紋情報として出力し、
前記第一の指紋画像から指紋の特徴点を示す第一の特徴点画像を生成し、
前記生成した前記第一の特徴点画像に基づいて前記設定情報を生成し、
前記生成した前記設定情報に含まれる前記第一の無線通信装置の識別情報を含んだ前記管理信号を送信する、
ことを特徴とする付記２７記載の通信方法。
（付記２９）
前記第一の指紋画像から、指先の指紋紋様の端点と分岐点を含む指紋の特徴点を示す前記第一の特徴点画像を生成する、ことを特徴とする付記２８記載の通信方法。
（付記３０）
前記生成した前記第一の特徴点画像から各特徴点の各位置情報を取得し、これらの位置情報を所定の規則に従って並べて前記設定情報とする、ことを特徴とする付記２９記載の通信方法。
（付記３１）
前記所定の規則に従って並べた各位置情報を分割してＳＳＩＤと、暗号化キーとしこれを前記設定情報とする、ことを特徴とする付記３０記載の通信方法。
【符号の説明】
【００７７】
１  無線通信装置、第二の無線通信装置
２  生体情報読取部
３  無線部
４  装置制御部
５  通信システム
６  第一の無線通信装置
７  第二の無線通信装置
８  第一の生体情報読取部
９  第一の無線部
１０  第一の装置制御部
１１  第二の生体情報読取部
１２  第二の無線部
１３  第二の装置制御部
１５  通信システム
１６  第一の無線通信装置
１７  第二の無線通信装置
１８  第一の指紋情報読取部
１９  第一の装置制御部
２０  第一の指紋データ生成部
２１  第一の設定情報生成部
２２  第一の制御部
２３  第二の指紋情報読取部
２４  第二の装置制御部
２５  第二の指紋データ生成部
２６  第二の設定情報生成部
２７  第二の制御部
２８  通信システム
２９  第一の無線通信装置
３０  ＮＦＣタグ
３１  第二の無線通信装置
３２  ＮＦＣタグ読取部
【図１】
2014183445.tif 000003
【図２】
2014183445.tif 000004
【図３】
2014183445.tif 000005
【図４】
2014183445.tif 000006
【図５】
2014183445.tif 000007
【図６】
2014183445.tif 000008
【図７】
2014183445.tif 000009
【図８】
2014183445.tif 000010